(57)【要約】【課題】折り畳み構造とされる携帯電話機の誤操作を防止する。【解決手段】ステップＳ１において、折り畳み状態であった携帯電話機が開放されたと判定された場合、ステップＳ２において、携帯電話機の開放時間が計時される。ステップＳ３において、角度が計測され、ステップＳ４において、計測された角度が９０度以下であると判定された場合、ステップＳ５において、携帯電話機が折り畳まれたか否かが判定される。折り畳まれたと判定された場合、ステップＳ７において、計時された時間Ｔ１が閾値Ｔ０以下であるか否かが判定され、閾値Ｔ０以下であると判定されたとき、ステップＳ８において、主制御部は、外部表示制御処理を実行する。これにより、例えば、携帯電話機の背面ＬＥＤのバックライトが点灯される。本発明は、折り畳み構造とされる携帯電話機に適用できる。【選択図】      図５
2004253939.tif 000002
【特許請求の範囲】
【請求項１】
上部筐体、下部筐体、および上部筐体と下部筐体を結合するヒンジ部により、折り畳み構造とされる電子機器において、
前記上部筐体と前記下部筐体が合わせられた状態である折り畳み状態、前記上部筐体が前記ヒンジ部を軸として回動され、外部の力が外れると前記折り畳み状態に戻る状態である中間状態、および、前記上部筐体が前記ヒンジ部を軸として前記中間状態よりさらに回動され、外部の力が外れた場合においても、前記折り畳み状態に戻らない状態である開放状態を検出する状態検出手段と、
前記状態検出手段により、前記折り畳み状態から前記中間状態にされた後、さらに、前記開放状態とされずに前記折り畳み状態に戻されたことが検出された場合、前記中間状態とされている第１の時間を計測する第１の計測手段と、
前記第１の計測手段により計測された前記第１の時間が、第１の閾値以下であるか否かを判定し、前記第１の時間が前記第１の閾値以下であると判定した場合、予め定められている所定の動作を実行する第１の実行手段と
を備えることを特徴とする電子機器。
【請求項２】
前記電子機器は、携帯電話機である
ことを特徴とする請求項１に記載の電子機器。
【請求項３】
前記第１の実行手段は、前記上部筐体の背面に設けられている表示部のバックライトを点灯させるか、または、着信音量を消去させる
ことを特徴とする請求項２に記載の電子機器。
【請求項４】
前記第１の閾値は、変更可能である
ことを特徴とする請求項１に記載の電子機器。
【請求項５】
前記第１の実行手段により予め定められている所定の動作が実行された場合、その動作実行後の時間である第２の時間を計測する第２の計測手段と、
前記第２の計測手段により計測された前記第２の時間が、第２の閾値以上であるか否かを判定し、前記第２の時間が前記第２の閾値以上であると判定した場合、初期状態を設定する第２の実行手段をさらに備える
ことを特徴とする請求項１に記載の電子機器。
【請求項６】
前記第２の閾値は、変更可能である
ことを特徴とする請求項５に記載の電子機器。
【請求項７】
上部筐体、下部筐体、および上部筐体と下部筐体を結合するヒンジ部により、折り畳み構造とされる電子機器の動作制御方法において、
前記上部筐体と前記下部筐体が合わせられた状態である折り畳み状態、前記上部筐体が前記ヒンジ部を軸として回動され、外部の力が外れると前記折り畳み状態に戻る状態である中間状態、および、前記上部筐体が前記ヒンジ部を軸として前記中間状態よりさらに回動され、外部の力が外れた場合においても、前記折り畳み状態に戻らない状態である開放状態を検出する状態検出ステップと、
前記状態検出ステップの処理により、前記折り畳み状態から前記中間状態にされた後、さらに、前記開放状態とされずに前記折り畳み状態に戻されたことが検出された場合、前記中間状態とされている時間を計測する計測ステップと、
前記計測ステップの処理により計測された前記時間が、閾値以下であるか否かを判定し、前記時間が前記閾値以下であると判定した場合、予め定められている所定の動作を実行する実行ステップと
を含むことを特徴とする電子機器の動作制御方法。
【請求項８】
上部筐体、下部筐体、および上部筐体と下部筐体を結合するヒンジ部により、折り畳み構造とされる電子機器を制御するプログラムであって、
前記上部筐体と前記下部筐体が合わせられた状態である折り畳み状態、前記上部筐体が前記ヒンジ部を軸として回動され、外部の力が外れると前記折り畳み状態に戻る状態である中間状態、および、前記上部筐体が前記ヒンジ部を軸として前記中間状態よりさらに回動され、外部の力が外れた場合においても、前記折り畳み状態に戻らない状態である開放状態を検出する状態検出ステップと、
前記状態検出ステップの処理により、前記折り畳み状態から前記中間状態にされた後、さらに、前記開放状態とされずに前記折り畳み状態に戻されたことが検出された場合、前記中間状態とされている時間を計測する計測ステップと、
前記計測ステップの処理により計測された前記時間が、閾値以下であるか否かを判定し、前記時間が前記閾値以下であると判定した場合、予め定められている所定の動作を実行する実行ステップと
を含む処理をコンピュータに実行させることを特徴とするプログラム。
【発明の詳細な説明】
【０００１】
【発明の属する技術分野】
本発明は、電子機器および電子機器の動作制御方法、並びにプログラムに関し、特に、容易に操作ができるようにした電子機器および電子機器の動作制御方法、並びにプログラムに関する。
【０００２】
【従来の技術】
近年、携帯電話機は、表示部を有し、折り畳み可能な構造とされる携帯電話機が普及してきている。
【０００３】
例えば、特許文献１には、携帯電話機を折り畳んだ状態でも外部から見える第２の表示部に、必要な情報を表示させることが提案されている。
【０００４】
このような表示部の表示を変更するために、携帯電話機には、携帯電話機を折り畳んだ状態で外部から操作可能なボタンが設けられており、ユーザは、このボタンを押すことにより表示部の表示を変更することができる。
【０００５】
【特許文献１】
特開平６−３７６９７号公報
【０００６】
【発明が解決しようとする課題】
しかしながら、携帯電話機を折り畳んだ状態で、外部から操作可能なボタンを押すことにより携帯電話機の表示を変更できるように構成すると、ユーザが意図しないのにボタンが誤って操作され、表示が変化してしまう課題があった。
【０００７】
これを防ぐために、外部から操作可能なボタンを誤って押されないように押しにくい形状とすることが考えられるが、そのようにすると、操作性が悪くなるという課題があった。
【０００８】
本発明はこのような状況に鑑みてなされたものであり、折り畳み構造とされる電子機器に、簡単な操作で所望の動作を実行させることができるようにするものである。
【０００９】
【課題を解決するための手段】
本発明の電子機器は、上部筐体と下部筐体が合わせられた状態である折り畳み状態、上部筐体がヒンジ部を軸として回動され、外部の力が外れると折り畳み状態に戻る状態である中間状態、および、上部筐体がヒンジ部を軸として中間状態よりさらに回動され、外部の力が外れた場合においても、折り畳み状態に戻らない状態である開放状態を検出する状態検出手段と、状態検出手段により、折り畳み状態から中間状態にされた後、さらに、開放状態とされずに折り畳み状態に戻されたことが検出された場合、中間状態とされている第１の時間を計測する第１の計測手段と、第１の計測手段により計測された第１の時間が、第１の閾値以下であるか否かを判定し、第１の時間が第１の閾値以下であると判定した場合、予め定められている所定の動作を実行する第１の実行手段とを備えることを特徴とする。
【００１０】
前記電子機器は、携帯電話機であるようにすることができる。
【００１１】
前記第１の実行手段は、上部筐体の背面に設けられている表示部のバックライトを点灯させるか、または、着信音量を消去させるようにすることができる。
【００１２】
前記第１の閾値は、変更可能であるようにすることができる。
【００１３】
前記第１の実行手段により予め定められている所定の動作が実行された場合、その動作実行後の時間である第２の時間を計測する第２の計測手段と、第２の計測手段により計測された第２の時間が、第２の閾値以上であるか否かを判定し、第２の時間が第２の閾値以上であると判定した場合、初期状態を設定する第２の実行手段をさらに備えるようにすることができる。
【００１４】
前記第２の閾値は、変更可能であるようにすることができる。
【００１５】
本発明の電子機器の動作制御方法は、上部筐体と下部筐体が合わせられた状態である折り畳み状態、上部筐体がヒンジ部を軸として回動され、外部の力が外れると折り畳み状態に戻る状態である中間状態、および、上部筐体がヒンジ部を軸として中間状態よりさらに回動され、外部の力が外れた場合においても、折り畳み状態に戻らない状態である開放状態を検出する状態検出ステップと、状態検出ステップの処理により、折り畳み状態から中間状態にされた後、さらに、開放状態とされずに折り畳み状態に戻されたことが検出された場合、中間状態とされている時間を計測する計測ステップと、計測ステップの処理により計測された時間が、閾値以下であるか否かを判定し、時間が閾値以下であると判定した場合、予め定められている所定の動作を実行する実行ステップとを含むことを特徴とする。
【００１６】
本発明のプログラムは、上部筐体と下部筐体が合わせられた状態である折り畳み状態、上部筐体がヒンジ部を軸として回動され、外部の力が外れると折り畳み状態に戻る状態である中間状態、および、上部筐体がヒンジ部を軸として中間状態よりさらに回動され、外部の力が外れた場合においても、折り畳み状態に戻らない状態である開放状態を検出する状態検出ステップと、状態検出ステップの処理により、折り畳み状態から中間状態にされた後、さらに、開放状態とされずに折り畳み状態に戻されたことが検出された場合、中間状態とされている時間を計測する計測ステップと、計測ステップの処理により計測された時間が、閾値以下であるか否かを判定し、時間が閾値以下であると判定した場合、予め定められている所定の動作を実行する実行ステップとを含む処理をコンピュータに実行させることを特徴とする。
【００１７】
本発明の電子機器および電子機器の動作制御方法、並びにプログラムにおいては、電子機器の状態が折り畳み状態から中間状態にされた後、さらに、開放状態とされずに折り畳み状態に戻されたことが検出された場合、中間状態とされている時間が計測され、計測された時間が、閾値以下であると判定された場合、予め定められている所定の動作が実行される。
【００１８】
【発明の実施の形態】
以下に、本発明の実施の形態について図面を参照して説明する。
【００１９】
図１は、本発明を適用した携帯電話機１の側面の構成を示している。図１に示されるように、携帯電話機１は、上部筐体３１と下部筐体３２がヒンジ３３により結合された構成とされる。図１の携帯電話機１は、上部筐体３１と下部筐体３２が折り畳まれた（閉じられた）状態とされている。
【００２０】
この携帯電話機１は、ヒンジ３３を軸として上部筐体３１が時計回りに回動されると、図２に示されるような中間状態とされ、さらに上部筐体３１が時計回りに回動されることにより、図３に示されるような開放状態とされる。また、図３に示されるような開放状態から、ヒンジ３３を軸として上部筐体３１が逆方向（反時計回り）に回動されると、図２に示されるような中間状態とされ、さらに上部筐体３１が反時計回りに回動されると、下部筐体３２に合わせられることにより折り畳まれる（図１の折り畳み状態とされる）。
【００２１】
図１と図２に示されるように、携帯電話機１が折り畳み状態とされている場合でも視認できるように、上部筐体３１の背面に、背面ＬＣＤ（Ｌｉｑｕｉｄ  Ｃｒｙｓｔａｌ  Ｄｉｓｐｌａｙ）３４が設けられている。上部筐体３１にはまた、図３に示されるように、開放状態とされたとき視認できるように、下部筐体３２と合わせられる面（正面）３１Ａに正面ＬＣＤ３５が設けられている。下部筐体３２には、上部筐体３１と合わせられる面（正面）３２Ａに各種のキーからなる操作部３６が設けられている。なお、勿論、上部筐体３１には、スピーカ、下部筐体３２には、マイクロフォン（いずれも図４に示されている）等の携帯電話機に必要とされる部分が設けられている。
【００２２】
正面ＬＣＤ３５は、文字や画像を表示する。操作部３６は、数字、文字、記号などに対応するキーなどにより構成され、そのキーが押されることにより、電話番号又はメールの文字などが入力される。
【００２３】
携帯電話機１が、図１に示されるように、折り畳まれた（閉じられた）状態とされる場合、背面ＬＣＤ３４には、時計、電子メール、ショートメール、着信の通知、伝言メモの通知、または、スケジュールの通知等の情報が表示される。
【００２４】
なお、以下、携帯電話機１が、図１に示されるように折り畳まれた状態を、折り畳み状態と称し、図３に示されるように完全に開かれた状態を、開放状態と称し、図２に示されるように、折り畳み状態と開放状態の中間とされる状態を、中間状態と称する。
【００２５】
携帯電話機１が図２に示されるような中間状態とされる場合、外部の力（例えば、ユーザの指等による力）で上部筐体３１と下部筐体３２が離されており、中間状態において外部の力を外したとき（例えば、ユーザの指を離した場合）、図示せぬスプリングの付勢力に従って、図１の折り畳み状態に戻るようになっている。例えば、中間状態における上部筐体３１と下部筐体３２の接する面（正面）３１Ａ，３２Ａ同士の角度は９０度以下である。なお、外部力を除去したときに戻る臨界的な角度は、９０度に限らず、何度でもよい。
【００２６】
携帯電話機１が図３に示されるような開放状態とされると、携帯電話機１は通話可能とされる。この状態（開放状態）から図１の折り畳み状態に戻すには、外部の力によりヒンジ３３を軸として上部筐体３１を反時計回りに回動させる必要がある。すなわち、自動的に開放状態（図３）から折りたたみ状態（図１）に移動させることはできない。勿論、図１の折りたたみ状態から図３の開放状態に自動的に移動させることもできない。
【００２７】
次に、携帯電話機１の内部の構成例を、図４を参照して説明する。
【００２８】
図４に示されるように、携帯電話機１は、各部を統括的に制御する主制御部８１に対して、電源回路部８２、角度検出部８３、カウンタ８４、操作入力制御部８５、ＬＣＤ制御部８６、ドライブ９５、送受信回路部９３、および、音声コーデック９１が、メインバス８８を介して互いに接続されると共に、ドライブ９５、送受信回路部９３、および、音声コーデック９１が、同期バス９７を介して互いに接続されて構成されている。
【００２９】
主制御部８１は、ＣＰＵ（Ｃｅｎｔｒａｌ  Ｐｒｏｃｅｓｓｉｎｇ  Ｕｎｉｔ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）等から構成される。
【００３０】
即ち、主制御部８１において、ＣＰＵは、ＲＯＭに記憶されているプログラム、またはＲＡＭにロードされたプログラムに従って各種の処理を実行する。ＲＡＭにはまた、ＣＰＵが各種の処理を実行する上において必要なデータなども適宜記憶される。
【００３１】
電源回路部８２は、ユーザの操作により操作部３６のうちの終話及び電源キー（図示せず）がオン状態にされると、バッテリパック（図示せず）から各部に対して電力を供給することにより携帯電話機１を動作可能な状態に起動する。
【００３２】
携帯電話機１は、主制御部８１の制御に基づいて、音声通話モード時にマイクロフォン８９で集音した音声信号を音声コーデック９１によってデジタル音声データに変換、圧縮し、さらに、送受信回路部９３によって送信信号に変換し、アンテナ９４を介して、所定の送信電力で送信する。
【００３３】
また、携帯電話機１は、音声通話モード時にアンテナ９４で受信した受信信号を、送受信回路部９４によって元のデジタル音声データに復元させて、さらに、音声コーデック９１によって伸長し、アナログ音声信号に変換した後、これを、スピーカ９０を介して出力する。
【００３４】
さらに、携帯電話機１は、データ通信モード時に例えば電子メールを送信する場合、操作部３６の操作によって入力された電子メールのテキストデータを、操作入力制御部８５を介して主制御部８１に送出する。
【００３５】
主制御部８１は、ＬＣＤ制御部８６を介して正面ＬＣＤ３５にテキストデータを出力し、文字として表示させるとともに、そのテキストデータをさらに送受信回路部９３によって送信信号に変換させ、アンテナ９４を介して基地局へ所定の送信電力で送信させる。
【００３６】
これに対して携帯電話機１は、データ通信モード時に例えば電子メールを受信する場合、アンテナ９４を介して受信した受信信号を、送受信回路部９３によって元のテキストデータに復元させて、ＬＣＤ制御部８６を介して正面ＬＣＤ３５に受信電子メールとして表示させる。
【００３７】
角度検出部８３は、上部筐体３１と下部筐体３２が折り畳まれたとき、それぞれの面３１Ａと面３２Ａがなす角度（すなわち、正面ＬＣＤ３５と操作部３６が向かい合う側の角度）を検出する。角度検出部８３は、検出した結果（角度）を主制御部８１に通知する。これにより、主制御部８１は、携帯電話機１の状態（折り畳み状態（図１）、中間状態（図２）、および開放状態（図３）のいずれかの状態）を検出することができる。具体的には、検出された角度が０度である場合、折り畳み状態と判定され、検出された角度が０度より大きく、９０度以下である場合、中間状態と判定され、検出された角度が９０度より大きい場合、開放状態であると判定される。
【００３８】
主制御部８１は、検出結果に基づく処理を実行する。例えば、携帯電話機１が折り畳み状態（図１）とされる場合、主制御部８１は、ＬＣＤ制御部８６を介して背面ＬＣＤ３４に時計、電子メール、ショートメール、着信の通知、伝言メモの通知、または、スケジュールの通知等の情報を表示させる。また、主制御部８１は、所定の条件下において、背面ＬＣＤ３４の背面にあるバックライト１０１を点灯させる（この条件については図５を参照して後述する）。さらに、携帯電話機１が中間状態とされる場合、主制御部８１は、ＬＣＤ制御部８６を介して背面ＬＣＤ３４の表示をオフさせる。また、携帯電話機１が開放状態とされる場合、主制御部８１は、ＬＣＤ制御部８６を介して正面ＬＣＤ３５にカレンダー、電子メール、ショートメール、着信の通知、伝言メモの通知、画像、またはスケジュールの通知等の情報を表示させるとともに、正面ＬＣＤ３５の背面にあるバックライト１０２を適宜させる。
【００３９】
カウンタ８４は、主制御部８１の制御に基づいて所定の時間を計数する。
【００４０】
携帯電話機１はまた、受信した電子メールを、ユーザの操作に応じて、ドライブ９５を介してメモリスティック（ソニー（株）の商標）等からなるリムーバブル記録媒体９６に記録することも可能である。
【００４１】
なお、ドライブ９５には、コンピュータプログラムが記憶されたリムーバブル記録媒体９６が適宜装着され、それから読み出されたそのコンピュータプログラムが、必要に応じて主制御部８１にインストールされる。
【００４２】
次に、図５のフローチャートを参照して、この携帯電話機１における処理を説明する。なお、この処理は、携帯電話機１が折り畳み状態とされたとき開始される。
【００４３】
ステップＳ１において、主制御部８１は、角度検出部８３の検出結果に基づいて、携帯電話機１が開放されたか（すなわち、検出された角度が０度より大きいか）否かを判定する。ユーザは、上述したように、携帯電話機１を折り畳み状態、中間状態、および開放状態に自由に変更することができる。折り畳み状態（図１）とされた場合、背面ＬＣＤ３４には、図６に示されるような表示がなされている。図６の例の場合、背面ＬＣＤ３４には、現在時刻を示す時計１２１が表示されている。このとき、背面ＬＣＤ３４の背面にあるバックライト１０１は消灯されている。そのため、暗い場所では、ユーザは、時計１２１を見ることができない。携帯電話機１が折り畳み状態である（開放されていない）と判定された場合、処理は開放されるまで待機される。
【００４４】
ステップＳ１において、携帯電話機１が開放されたと判定された場合、ステップＳ２において、主制御部８１は、カウンタ８４に、開放時間（時間Ｔ１）の計時動作を開始させる。
【００４５】
ステップＳ３において、角度検出部８３は、上部筐体３１の正面３１Ａと下部筐体３２の正面３２Ａによりなされる角度を計測する。
【００４６】
ステップＳ４において、主制御部８１は、角度検出部８３により検出された角度が９０度以下であるか否か、すなわち、中間状態であるか（ユーザにより中間状態とされたか）否かを判定する。中間状態である場合、背面ＬＣＤ３４には、図７に示される表示がなされている。図７においても、図６と同様に、背面ＬＣＤ３４には、現在時刻を示す時計１２１が表示されており、背面ＬＣＤ３４の背面にあるバックライト１０１は消灯されている。検出された角度が９０度以下ではない（９０度より大きい）と判定された場合、処理は終了される。
【００４７】
ステップＳ４において、角度が９０度以下であると判定された場合、ステップＳ５において、主制御部８１は、角度検出部８３による検出結果に基づいて、携帯電話機１が折り畳まれたか否か（検出された角度が０度であるか否か）を判定する。携帯電話機１が折り畳まれていないと判定された場合、すなわち、検出された角度が０度より大きいと判定された場合、処理はステップＳ３に戻りそれ以降の処理、すなわち、計測された角度が９０度以下であって、折り畳まれるまで繰り返される。
【００４８】
ステップＳ５において、折り畳まれたと判定された場合、ステップＳ６において、主制御部８１は、カウンタ８４により計時された開放時間Ｔ１を読み取る。この開放時間Ｔ１は、角度が９０度以上とされずに、折り畳まれた場合の開放時間、すなわち、中間状態の時間である。
【００４９】
ステップＳ７において、主制御部８１は、読み取った開放時間Ｔ１が、閾値Ｔ０以下であるか否かを判定する。この閾値Ｔ１は、主制御部８１に備えられているＥＥＰＲＯＭ等に予め記憶されており、例えば、１秒以上４秒以下の所定の値（例えば、３秒）とされる。すなわち、いまの例の場合、主制御部８１は、開放時間Ｔ１が、３秒以下であるか否かを判定する。なお、この時間Ｔ１は、ユーザが操作部３６を操作することで、任意の値に設定、変更することができる。
【００５０】
ステップＳ７において、時間Ｔ１が閾値Ｔ０より大きいと判定された場合、処理は終了される。これに対して、時間Ｔ１が閾値Ｔ０以下であると判定された場合、ステップＳ８において、主制御部８１は、外部表示制御処理を実行する。この外部表示制御処理として、例えば、図８のフローチャートに示されるような処理が実行される。
【００５１】
ステップＳ３１において、主制御部８１は、ＬＣＤ制御部８６を介して背面ＬＣＤ３４のバックライト１０１を点灯させる。このとき、携帯電話機１の背面ＬＣＤ３４には、図９に示される表示がなされる。図９の例の場合、背面ＬＣＤ３４には現在時刻を示す時計１２１が表示されており、背面ＬＣＤ３４のバックライト１０１は点灯されている。そのため、暗い場所でも、ユーザは時計１２１を見ることができる。
【００５２】
また、ステップＳ７における外部表示制御処理は、図１０のフローチャートに示されるような処理とすることもできる。
【００５３】
図１０のステップＳ５１において、主制御部８１は、ＬＣＤ制御部８６を介して背面ＬＣＤ３４のバックライト１０１を点灯させる。このとき、上述した図６のステップＳ３１の処理と同様に、携帯電話機１の背面ＬＣＤ３４には、図９に示される表示がなされる。図９の例の場合、背面ＬＣＤ３４には現在時刻を示す時計１２１が表示されており、背面ＬＣＤ３４のバックライト１０１は点灯されている。そのため、暗い場所でも、ユーザは時計１２１を見ることができる。
【００５４】
ステップＳ５２において、主制御部８１は、カウンタ８４に、背面ＬＣＤ３４のバックライト１０１の点灯時間の計時を開始させる。
【００５５】
ステップＳ５３において、主制御部８１は、カウンタ８４により計時された時間Ｔ３が閾値Ｔ２以上であるか否かを判定し、閾値Ｔ２以上となるまで処理は待機される。この閾値Ｔ２は、主制御部８１に備えられているＥＥＰＲＯＭ等に予め記憶されている。例えば、閾値Ｔ２が１５秒とされる場合、計時された時間が１５秒以上となるまで待機される。すなわち、いまの例の場合、背面ＬＣＤ３４のバックライト１０１の点灯時間が１５秒以上となるまで待機される。なお、閾値Ｔ２は、１５秒に限らず、それ以上、またはそれ以下であってもよい。ユーザは、携帯電話機１が開放状態とされるとき、操作部３６に入力することにより、この閾値Ｔ２を任意の値に設定、変更することができる。
【００５６】
ステップＳ５３において、計時された時間Ｔ３が閾値Ｔ２（いまの例の場合、１５秒）以上であると判定された場合、ステップＳ５４において、主制御部８１は、初期状態を設定する。具体的には、ステップＳ５１の処理により、点灯させた背面ＬＣＤ３４のバックライト１０１を消灯させる等の処理を実行し、処理を終了する。
【００５７】
図５の処理により、折り畳み状態から中間状態（ステップＳ４においてＹＥＳとされる状態）とされた後、折り畳み状態（ステップＳ５においてＹＥＳとされる状態）に戻されるまでの動作が、所定の時間内（いまの例の場合、３秒）に行なわれた場合に、外部表示制御処理を行なわせることができる。
【００５８】
この外部表示制御処理は、図８の例の場合、バックライト１０１の点灯動作とされる。
【００５９】
また、外部表示制御処理は、図１０の例の場合、バックライト１０１が点灯され、点灯時間が所定の時間（閾値Ｔ２）だけ経過したとき、自動的にその動作を終了させる（初期状態に戻す）処理とされる。
【００６０】
このように、携帯電話機１を開放状態とすることなく、携帯電話機１のバックライト１０１を点灯させる（外部表示制御処理を実行させる）ことができる。図５の例の場合、外部表示制御処理としたが、携帯電話機１に予め設定されている所定の動作を行なわせるものであれば、どのようなものであってもよい為、携帯電話機１に所定の動作を実行させる操作が容易であるということになる。換言すると、ユーザは、携帯電話機１を両手で開放状態とする必要がなく、片手で中間状態にすることができるのに加えて、中間状態から折り畳み状態に戻す場合、力を加える必要もない（上述したように、中間状態から折り畳み状態に戻す場合、スプリングの付勢力により戻る構造とされる）ので、所定の動作を実行させる操作が容易である。さらに、暗い場所等の視野的に問題が発生する場合においても、操作性が変化なく、素早い操作が可能となる。
【００６１】
また、折り畳み構造とされる携帯電話機１の外部に備えられているボタンを操作することにより実行される動作（例えば、バックライト１０１の点灯）を、所定の動作に設定すれば、外部ボタンを省略することができ、もって、部品を削減することができる。
【００６２】
また、いまの例の場合、所定の動作として、背面ＬＣＤ３４のバックライト１０１を点灯させるようにしたので、ユーザは、暗い場所でも背面ＬＣＤの表示（例えば、時間）（いまの例の場合、時間としたが、これに限らず、背面ＬＣＤに表示されたものであれば何でも良い）を確認することができる。
【００６３】
なお、この所定の動作は、バックライト１０１の点灯に限らず、例えば、電子メールが送信されてきたときの着信音量を消去する等の動作をするようにしてもよい。ユーザは、このとき実行する動作（図５のステップＳ８の場合、外部表示制御処理）を、予め設定しておくこともできる。
【００６４】
また、いまの例の場合、携帯電話機１が所定の状態とされる時間（図５のステップＳ５における閾値Ｔ０）を１秒から４秒としたが、これに限らず、ユーザは、操作部を操作することにより、携帯電話機１が所定の状態とされる時間（閾値Ｔ０）を適当に変更することができる。
【００６５】
なお、以上の例は、携帯電話機１が中間状態にされた時間が所定の時間内であった場合、所定の処理が行なわれるようにしたが、中間状態および開放状態を含む、開放時間のみによって、所定の処理が行なわれるようにしてもよい。この場合の例を、図１１のフローチャートを参照して説明する。
【００６６】
ステップＳ１０１において、主制御部８１は、角度検出部８３による検出結果に基づいて、携帯電話機１が開放されたか（すなわち、検出された角度が０度より大きいか）否かを判定し、開放されるまで待機する。開放されたと判定された場合、ステップＳ１０２において、主制御部８１は、カウンタ８４に開放時間の計時を開始させる。
【００６７】
ステップＳ１０３において、主制御部８１は、角度検出部８３による検出結果に基づいて、携帯電話機１が折り畳み状態とされたか（すなわち、検出された角度が０度であるか）否かを判定する。折り畳み状態とされていないと判定された場合、処理はステップＳ１０２に戻り、それ以降の処理が繰り返される。すなわち、折り畳み状態とされるまでの時間が計時される。
【００６８】
ステップＳ１０３において、折り畳み状態とされたと判定された場合、ステップＳ１０４において、主制御部８１は、カウンタ８４により計時された時間Ｔ１を読み取る。
【００６９】
ステップＳ１０５において、主制御部８１は、ステップＳ１０４の処理により読み取った時間Ｔ１が、閾値Ｔ０以下であるか否かを判定する。閾値Ｔ０は、主制御部８１に備えられているＥＥＰＲＯＭ等に予め記憶されており、例えば、閾値Ｔ０が４秒とされる場合、時間Ｔ１が４秒以内であるか否かが判定される。このときの時間Ｔ１は、角度が０度より大きくなった状態における時間、すなわち、中間状態または開放状態とされる時間とされる。
【００７０】
ステップＳ１０５において、計時された時間Ｔ１が閾値Ｔ０以下であると判定された場合、ステップＳ１０６において、主制御部８１は、外部表示制御処理を実行する。外部表示制御処理は、上述した図８または図１０に示される処理と同じであるので、その説明は省略する。
【００７１】
ステップＳ１０５において、計時された時間Ｔ１が閾値Ｔ０以上である（すなわち、時間Ｔ１が閾値Ｔ０以下でない）と判定された場合、または、ステップＳ１０６の処理の後、処理は終了される。
【００７２】
図１１の処理により、携帯電話機１が開放された時間Ｔ１が閾値Ｔ０以下である場合に、携帯電話機１に所定の動作（いまの例の場合、外部表示制御処理）を実行させることができる。
【００７３】
図１１の例では、図８の例のように、中間状態（角度検出部８３により検出された角度が０度以上９０度以下とされる状態）とされる時間のみに基づいて、所定の処理を実行するだけでなく、中間状態または開放状態とされる時間に基づいて、所定の処理を実行するので、ユーザが、誤って、開放状態とした場合においても、所定の動作を行なわせることができる。
【００７４】
なお、以上の例は、携帯電話機１について説明したが、携帯電話機１に限らず、ノート型パーソナルコンピュータ等の、開閉可能な電子機器に適用することができる。
【００７５】
携帯電話機をノート型パーソナルコンピュータに適用した場合の例を図１２乃至図１４を参照して説明する。
【００７６】
図１２乃至図１４のパーソナルコンピュータ３００の状態は、上述した図１乃至３の携帯電話機１の状態にそれぞれ対応している。すなわち、図１２のパーソナルコンピュータ３００の状態は折り畳み状態とされ、図１３のパーソナルコンピュータ３００の状態は中間状態とされ、図１４のパーソナルコンピュータ３００の状態は開放状態とされる。パーソナルコンピュータ３００の背部には、パーソナルコンピュータ３００を折り畳み状態とした場合でも見ることが可能な小型ＬＣＤ３０４が設けられている。
【００７７】
パーソナルコンピュータ３００の場合においても、携帯電話機１と同様に、上述した図５または図１１の処理が実行される。例えば、図５のフローチャートを適用すると、折り畳み状態（図１２）から中間状態（ステップＳ４においてＹＥＳとされる状態）（図１３）とされた後、折り畳み状態（ステップＳ５においてＹＥＳとされる状態）（図１２）に戻された場合の所要時間（時間Ｔ１）が、所定時間内（閾値Ｔ０以下）であるとき、パーソナルコンピュータ３００は、所定の動作（図５の例の場合、外部表示制御処理）を実行する。
【００７８】
また、例えば、図１１のフローチャートに適用すると、折り畳み状態（図１２）から中間状態（図１３）または開放状態（図１４）とされた後（ステップＳ１０１においてＹＥＳとされた後）、折り畳み状態（ステップＳ１０３においてＹＥＳとされる状態）（図１２）に戻された場合の所要時間（時間Ｔ１）が、所定時間内（閾値Ｔ０以下）であるとき、パーソナルコンピュータ３００は、所定の動作（図１１の例の場合、外部表示制御処理）を実行する。
【００７９】
パーソナルコンピュータ３００の例の場合、所定の動作は、例えば、電子メールのチェック、ウイルスチェック等とされる。パーソナルコンピュータ３００は、所定の動作の結果（例えば、電子メールチェックの結果）を、小型ＬＣＤ３０４に表示させる。
【００８０】
以上の処理により、折り畳み状態から中間状態とされた後、折り畳み状態に戻されるまでの動作が、所定の時間内（いまの例の場合、１秒から４秒）に行なわれた場合に、携帯電話機１に所定の動作（いまの例の場合、バックライト１０１の点灯動作）を行なわせることができる。
【００８１】
これにより、携帯電話機１を開放状態とすることなく、携帯電話機１に所定の動作を実行させることができる。
【００８２】
また、折り畳み状態から開放された（中間状態または開放状態とされた）後、折り畳み状態に戻されるまでの動作が、所定の時間内に行なわれた場合に、携帯電話機１に所定の動作を行なわせることができる。
【００８３】
これにより、携帯電話機１を開放するだけで、携帯電話機１に所定の動作を実行させることができる。
【００８４】
また、カバンなどに携帯電話機１を収容していた場合でも、誤操作を防止することができる。
【００８５】
さらに、所定の条件化（折り畳み状態から中間状態とされた後、折り畳み状態に戻されるまでの動作が、所定の時間内に行なわれた場合）において、携帯電話機１に所定の動作（いまの例の場合、バックライト１０１の点灯動作）を行なわせるとともに、所定の動作の実行時間が閾値Ｔ２以上となるとき、自動的に所定の動作を終了させる（初期状態に戻す）ことができる。
【００８６】
なお、本発明は、携帯電話機、ノート型パーソナルコンピュータ以外の折り畳み構造とされる各種の電子機器に適用することができる。
【００８７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用の携帯電話機、および、パーソナルコンピュータなどに、ネットワークや記録媒体からインストールされる。
【００８８】
この記録媒体は、携帯電話機である場合、図４に示されるように、携帯電話機とは別に、ユーザ等にプログラムを提供するために配布される、プログラムが記録されているリムーバブル記録媒体９６、例えば、上述した半導体メモリであるメモリスティック等よりなるパッケージメディアにより構成されるだけでなく、装置本体に予め組み込まれた状態でユーザに提供される、プログラムが記憶されている主制御部８１のＲＯＭなどで構成される。
【００８９】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【００９０】
また、本明細書において、システムとは、複数の装置により構成される装置全体を表わすものである。
【００９１】
【発明の効果】
以上の如く、本発明によれば、折り畳み構造とされる電子機器に所定の動作を実行させることができる。特に、本発明によれば、簡単な操作で、電子機器に所定の動作を実行させることができる。また、カバンなどに電子機器を収容していた場合でも、誤操作を防止することができる。
【図面の簡単な説明】
【図１】本発明を適用した携帯電話機を折り畳み状態とした場合の外観の構成を示す側面図である。
【図２】図１の携帯電話機を中間状態とした場合の外観の構成を示す側面図である。
【図３】図１の携帯電話機を開放状態とした場合の外観の構成を示す側面図である。
【図４】図１の携帯電話機の構成例を示すブロック図である。
【図５】図１の携帯電話機における外部表示制御処理を説明するフローチャートである。
【図６】折り畳み状態における背面ＬＣＤの表示例を示す図である。
【図７】中間状態における背面ＬＣＤの表示例を示す図である。
【図８】図５のステップＳ８の外部表示制御処理を説明するフローチャートである。
【図９】図５のステップＳ８における背面ＬＣＤの表示例を示す図である。
【図１０】図５のステップＳ８の外部表示制御処理を説明するフローチャートである。
【図１１】図１の携帯電話機における外部表示制御処理を説明するフローチャートである。
【図１２】本発明を適用したパーソナルコンピュータを折り畳み状態とした場合の外観の構成を示す側面図である。
【図１３】図１２のパーソナルコンピュータを中間状態とした場合の外観の構成を示す側面図である。
【図１４】図１３のパーソナルコンピュータを開放状態とした場合の外観の構成を示す側面図である。
【符号の説明】
１  携帯電話機，  ３１  上部筐体，  ３２  下部筐体，  ３３  ヒンジ，  ３４  背面ＬＣＤ，  ３５  正面ＬＣＤ，  ３６  操作部，  ８１  主制御部，  ８３角度検出部，  ８４  カウンタ，  ８６  ＬＣＤ制御部，  １０１  バックライト，  １０２  バックライト
【図１】
2004253939.tif 000003
【図２】
2004253939.tif 000004
【図３】
2004253939.tif 000005
【図４】
2004253939.tif 000006
【図５】
2004253939.tif 000007
【図６】
2004253939.tif 000008
【図７】
2004253939.tif 000009
【図８】
2004253939.tif 000010
【図９】
2004253939.tif 000011
【図１０】
2004253939.tif 000012
【図１１】
2004253939.tif 000013
【図１２】
2004253939.tif 000014
【図１３】
2004253939.tif 000015
【図１４】
2004253939.tif 000016